(57)【要約】  【課題】  主容器と蓋部材との間から漏れる蒸気を断熱容器内に留めることなく外部に排出する。断熱容器内に水滴が着くことを防止するとともに、断熱容器を洗浄した後に残留する水によって断熱容器内が錆びることを防止する。  【解決手段】  内ケース３ｂと外ケース３ｃとの間に断熱空間２を有し、上部収容口を備えた断熱容器３と、断熱容器３内に収容可能な主容器４と、主容器４の上部開口を覆う断熱構造の蓋部材８とで保温弁当箱１を構成する。主容器４の上縁に、該主要器４を断熱容器３に収容した際に、断熱容器３の口縁部３ａより外方へ延出して、前記口縁部３ａに密着するフランジ部６ｂを形成し、断熱容器３と蓋部材８とで主容器４を保温する。【選択図】  図１
2005110734.tif 000002
【特許請求の範囲】
【請求項１】
内ケースと外ケースとの間に断熱構造を有し、上部収容口を備えた断熱容器と、該上部収容口から断熱容器内に収容可能な主容器と、該主容器の上部開口を覆う断熱構造の蓋部材とを備えた保温弁当箱において、前記主容器の上縁に、該主容器を前記断熱容器に収容した際に、前記断熱容器の口縁部より外方へ延出するフランジ部を形成し、前記断熱容器と前記蓋部材とにより前記主容器を保温することを特徴とする保温弁当箱。
【請求項２】
前記蓋部材は、前記主容器の上部開口に嵌め込み可能に形成されていることを特徴とする請求項１記載の保温弁当箱。
【請求項３】
前記蓋部材の上面に、補助容器を載置する載置用凹部を形成したことを特徴とする請求項１又は２記載の保温弁当箱。
【請求項４】
前記蓋部材は、前記主容器の上部開口から挿入されて前記上部開口を塞ぐ栓体部を断熱構造とし、該栓体部の上部周縁に前記主容器のフランジ部上面に懸架される係合部を延設するとともに、前記フランジ部上端部を、前記補助容器の周壁外面に沿って上方に延出させたことを特徴とする請求項３記載の保温弁当箱。
【請求項５】
前記フランジ部上面及び該上面に当接する前記係合部の下面は、上方に向かって漸次外側に広がるテーパー面であることを特徴とする請求項４記載の保温弁当箱。
【請求項６】
前記断熱容器、主容器及び補助容器は、それぞれ有底円筒状であることを特徴とする請求項１〜５のいずれか１項記載の保温弁当箱。
【発明の詳細な説明】
【技術分野】
【０００１】
本発明は、一般にランチジャーと称される携帯用の保温弁当箱に係り、詳しくは、断熱容器内に水滴が付着することを防止した保温弁当箱に関する。
【背景技術】
【０００２】
従来、保温弁当箱は断熱容器と、この断熱容器の上部収容口を被蓋する蓋体と、断熱容器内に出し入れ自在に収納される飯器や菜入れ器等の容器とを備えている。断熱容器は、内ケースと外ケースとの間に真空の断熱空間を形成した金属製の真空二重壁より成る容器で、外ケースの上部には肩部材が設けられている。この肩部材には雄ねじが形成され、該雄ねじに、蓋体に形成した雌ねじを螺合させることにより、蓋体と断熱容器とが結合されるようになっている。飯器となる容器は、容器本体と、内部空間に断熱材を備えた断熱構造の蓋部材とから構成され、蓋部材の側壁に形成した雌ねじと容器本体の上部端に形成した雄ねじとを螺合するようになっている。
【０００３】
このような保温弁当箱では、断熱容器の下部に飯器となる容器が、その上方に菜入れ器となる容器がそれぞれ収容され、断熱容器の上部に蓋体を螺合することにより保温弁当として使用されている（例えば、特許文献１参照）。
【特許文献１】特開平１０−３２７９２２号公報
【発明の開示】
【発明が解決しようとする課題】
【０００４】
しかし、上述のものでは、容器内の温度が下がった場合に、容器内が若干の減圧になり蓋部材が開けにくくなるため、容器本体と蓋部材とは厳密な気密構造にならないようにしている。このため、容器本体と蓋部材との隙間から蒸気が漏れ出し、断熱容器内を濡らすことがあり、金属製の断熱容器内部に錆が発生する虞があった。また、容器の外周壁に蒸気による水滴が付着し、容器を取り出した際に水滴が周囲を汚すことがあった。
【０００５】
さらに、断熱容器を洗った際に、肩部材と断熱容器との間に水が進入し、この水が毛細管現象により保持されるため、断熱容器の上部開口側に錆が発生し断熱構造が損なわれる虞があった。
【０００６】
そこで本発明は、断熱容器内に収容される主容器を保温しながらも、主容器と蓋部材との間から漏れる蒸気を断熱容器内に留めることなく外部に排出し、断熱容器内に水滴が付着することを防止するとともに、断熱容器を洗浄した後に残留する水によって断熱容器内に錆が発生することを防止できる保温弁当箱を提供することを目的としている。
【課題を解決するための手段】
【０００７】
上記の目的を達成するため第１の発明では、内ケースと外ケースとの間に断熱構造を有し、上部収容口を備えた断熱容器と、該上部収容口から断熱容器内に収容可能な主容器と、該主容器の上部開口を覆う断熱構造の蓋部材とを備えた保温弁当箱において、前記主容器の上縁に、該主容器を前記断熱容器に収容した際に、前記断熱容器の口縁部より外方へ延出したフランジ部を形成し、前記断熱容器と前記蓋部材とにより前記主容器を保温することを特徴としている。
【０００８】
また、第２の発明では、前記蓋部材は、前記主容器の上部開口に嵌め込み可能に形成されていることを特徴とし、第３の発明では、前記蓋部材の上面に、補助容器を載置する載置用凹部を形成したことを特徴としている。
【０００９】
さらに、第４の発明では、前記蓋部材は、前記主容器の上部開口から挿入されて前記上部開口を塞ぐ栓体部を断熱構造とし、該栓体部の上部周縁に前記主容器のフランジ部上面に懸架される係合部を延設するとともに、前記フランジ部上端部を、前記補助容器の周壁外面に沿って上方に延出させたことを特徴とし、第５の発明では、前記フランジ部上面及び該上面に当接する前記係合部の下面は、上方に向かって漸次外側に広がるテーパー面であることを特徴としている。
【００１０】
また、第６の発明では、前記断熱容器、主容器及び補助容器は、それぞれ有底円筒状であることを特徴としている。
【発明の効果】
【００１１】
第１発明により、主容器と蓋部材との隙間から漏れ出す水蒸気は、断熱容器の外部に逃げるため、断熱容器内に水滴が付着することがなく、金属製の断熱容器内部に錆が発生する虞がない。また、主容器に水滴が付着することもなく、主容器や断熱容器を清潔に維持することができる。さらに断熱容器の構造が簡単なものとなるので、断熱容器を洗浄した後に水滴が断熱容器の隙間等に残りにくく、手入れがし易くなるとともに、錆の発生を防止し、断熱容器の耐久性を向上させることができる。
【００１２】
第２発明により、主容器と蓋部材とのシール性を向上させることができる。
【００１３】
第３発明により、蓋部材の上部に補助容器を載置させることが可能となり、補助容器の重みで蓋部材と主容器とのシール性を適度に向上させることができる。また、蓋部材を介して補助容器によって主容器が下方に押圧されるので、主容器のフランジ部を断熱容器の口縁部に密着させて、断熱容器の保温性を向上させることができる。
【００１４】
第４発明により、蓋部材を簡単に着脱できるようになるとともに、主容器のフランジ部上端部によって、補助容器の横方向のガタつきを規制することができ、安定した持ち運びが可能となる。
【００１５】
第５発明により、主容器と蓋部材との接触面積を大きくすることができ、断熱容器の保温性を向上させることができ、また、蓋部材の上部に補助容器を安定して載置させることができる。
【００１６】
第６発明により、保温弁当箱を安価に製造することができ、さらに、断熱容器内に主容器を収容する際や、蓋部材の上部に補助容器を載置する際に、主容器を収容する方向や、補助容器を載置する方向に規制がないので、取扱が簡便なものとなる。
【発明を実施するための最良の形態】
【００１７】
以下、本発明の一形態例を図面に基づいて詳しく説明する。保温弁当箱１は、断熱空間２を有する断熱容器３と、該断熱容器３内に出し入れ自在に収容される蓋付きの主容器４と、該主容器４の上面に載置される補助容器５とを備えている。
【００１８】
断熱容器３は、口縁部３ａで接合された内ケース３ｂと外ケース３ｃとの間に、真空の断熱空間２を形成したステンレス製の二重容器で、有底円筒状に形成されている。断熱空間２は、断熱容器３の周壁及び底部に形成され、口縁部３ａが、主容器４を出し入れする上部収容口となる。
【００１９】
主容器４は、合成樹脂で形成されるもので、断熱容器３の内ケース３ｂの径より小径の有底円筒状の容器本体６と、該容器本体６の上部開口に装着され、内部空間に断熱材７を充填した蓋部材８とを備えている。容器本体６の高さ寸法は、内ケース３ｂの高さ寸法より大きく形成され、内ケース３ｂの内底面に形成された円弧状の膨出部３ｄに沿うように、同一形状の円弧状の膨出部６ａが容器本体６の内底面にも形成されている。
【００２０】
容器本体６の上縁には、断熱容器３の口縁部３ａの径よりも大径のフランジ部６ｂが形成され、フランジ部６ｂの外周には上方に延出する延出部６ｃが形成される。また、フランジ部６ｂの上面６ｄは、上方に向けて漸次拡径するテーパー状に形成されている。
【００２１】
このフランジ部６ｂは、容器本体６を断熱容器３内に収容し、内ケース３ｂの膨出部３ｄと容器本体６の膨出部６ａとを当接させた際に、断熱容器３の口縁部３ａと、容器本体６のフランジ部６ｂ下面とが密着するように設定されている。また、延出部６ｃは、蓋部材８の上部に補助容器５を載置した際に、補助容器５の周壁外面に沿って上方に突出するように形成されている。
【００２２】
蓋部材８は、主容器４の内径よりも小さい外径を有した有底円筒状の栓体部８ａと、該栓体部８ａの上面を覆う天板８ｂとを有し、栓体部８ａの先端部には、主容器４のフランジ部６ｂの上面６ｄに懸架される係合部８ｃが形成される。係合部８ｃの下面は、テーパー状に形成されたフランジ部６ｂの上面６ｄと沿うように、上方に向けて拡径するテーパー状に形成される。栓体部８ａの内部には、断熱材７が充填され、断熱材７の上部を天板８ｂで覆うことにより、蓋部材８が断熱構造となる。また、係合部８ｃの上面と天板８ｂの上面とには、補助容器５の底部を載置可能な載置用凹部８ｄが形成される。この蓋部材８は、栓体部８ａを主容器４の上部開口から主容器４内部に挿入し、係合部８ｃをフランジ部６ｂの上面６ｄに懸架させることにより、主容器４に装着され、その上部の載置用凹部８ｄに補助容器５が載置される。
【００２３】
補助容器５は、有底円筒状の補助容器本体９と、非断熱構造の蓋１０とからなり、補助容器本体９の開口縁部９ａを、蓋１０の外周縁に形成した嵌合凹部１０ａに弾性状態で嵌合させて、気密状態を保持するようにしている。また補助容器本体９の底面は、蓋部材８の上面に形成された載置用凹部８ｄに載置可能な形状に形成されている。
【００２４】
上述のように形成された保温弁当箱１では、主容器４に保温したい御飯やおかずを入れ、蓋部材８の栓体部８ａを主容器４内に挿入し、係合部８ｃを主容器４に形成されたフランジ部６ｂの上面６ｄに懸架させて、主容器４に蓋部材８を装着する。蓋部材８を装着した主容器４を、断熱容器３に挿入し、内ケース３ｂの膨出部３ｄと容器本体６の膨出部６ａとを当接させるとともに、断熱容器３の口縁部３ａと、容器本体６のフランジ部６ｂ底面とを密着させ、主容器４を、断熱容器３と蓋部材８とによって保温する。
【００２５】
このように、主容器４は、膨出部６ａが断熱容器３の膨出部３ｄと当接するとともに、口縁部３ａとフランジ部６ｂ底面とが密着していることから、断熱容器３内でガタつくことがなく、安定した状態で収容される。
【００２６】
また、主容器４と蓋部材８とは、テーパー状のフランジ部６ｂの上面６ｄと係合部８ｃの下面とが当接して係合されているだけで、さらに、係合部８ｃとフランジ部６ｂの上面６ｄとの当接部分は、断熱容器３の口縁部３ａより外方に配設されていることから、主容器４内部で発生した水蒸気を、係合部８ｃと上面６ｄとの隙間から、外部に排出させることができる。これにより、断熱容器３内に水蒸気による水滴が付着することがなく、断熱容器３及び主容器４を常に清潔な状態に保つことができるとともに、断熱容器３内に錆が発生する虞がない。また、主容器４内の温度が下がっても、主容器４内が負圧になることがないので、食事をする際に、蓋部材８を主容器４から容易に取り外すことができる。
【００２７】
補助容器５には、保温を必要としないサラダ等のおかずを収容し、蓋１０を装着した後、蓋部材８の上部に載置させる。このとき、蓋部材８の栓体部８ａが断熱構造であることから、主容器４からの熱が補助容器５に伝わらず、補助容器５内のおかずを温めてしまうことがない。また、蓋部材８の係合部８ｃ上面と天板８ｂ上面とには、補助容器５の底部を載置する載置用凹部８ｄが設けられ、一方、補助容器５の底面は、この載置用凹部８ｄに載置可能な形状に形成されていることから、補助容器５を蓋部材８の上部に安定して載置させることができるとともに、フランジ部６ｂの外周に形成された延出部６ｃが、補助容器５の周壁外面に沿って上方に突出することから、補助容器５がガタつくことを防止できる。
【００２８】
また、補助容器５を蓋部材８に載置することによって、蓋部材８を適度に押圧し、主容器４内の水蒸気を排出することが可能な程度に、適度に主容器４と蓋部材８とをシールさせることができ、さらに、蓋部材８を介して主容器４が補助容器５によって下方に押圧されるので、主容器４のフランジ部６ｂを断熱容器３の口縁部３ａに密着させて、断熱容器３の保温性を向上させることができる。このような保温弁当箱１は、保温弁当箱１の外寸法に適応した巾着等に収容すると、持ち運び易くなり、また、補助容器５がガタつくこともなく最適である。
【００２９】
さらに、断熱容器３は、従来のように肩部材を設けることなく構造が簡単になることから、洗浄した後に水滴が肩部材との隙間等に残ることがなく、錆の発生を防止し、断熱容器３の耐久性を向上させることができる。
【００３０】
なお、断熱容器は、上述の形態例のように金属製のものに限らず、ガスバリア性のある樹脂で形成しても良く、断熱媒体として、断熱空間にアルゴン，キセノン，クリプトン等の空気より熱伝導率の小さいガスを封入したり、或いは、空気層を断熱層としたものでも差し支えない。また、上述の形態例では、主容器を断熱容器に収容した際に、主容器の底部と断熱容器の底部とを当接させるとともに、断熱容器の口縁部と主容器のフランジ部底面とを密着させるように設定されているが、主容器の底部と断熱容器の底部とは特に当接させなくてもよく、断熱容器の口縁部と主容器のフランジ部底面のみが当接するものでもよい。
【００３１】
さらに、蓋部材を主容器に嵌め込み可能に設けたものでも良い。また、補助容器を電子レンジで加熱可能な樹脂で形成し、必要に応じて、補助容器に入れたおかずや御飯を加熱できるようにしたものでもよく、さらに、断熱容器や主容器，補助容器の形状は、有底円筒状のものに限らず、角柱状のものや楕円柱状のもの等任意である。
【図面の簡単な説明】
【００３２】
【図１】本発明の一形態例を示す保温弁当箱の断面正面図
【符号の説明】
【００３３】
１…保温弁当箱、２…断熱空間、３…断熱容器、３ａ…口縁部、３ｂ…内ケース、３ｃ…外ケース、４…主容器、５…補助容器、６…容器本体、６ｂ…フランジ部、６ｃ…延出部、６ｄ…上面、７…断熱材、８…蓋部材、８ａ…栓体部、８ｂ…天板、８ｃ…係合部、８ｄ…載置用凹部、９…補助容器本体、９ａ…開口縁部、１０…蓋、１０ａ…嵌合凹部
【図１】
2005110734.tif 000003